(57)【要約】本発明は、液晶パネルにＧａｍｍａ電圧を提供するＧａｍｍａ電圧発生モジュールと、前記Ｇａｍｍａ電圧発生モジュールを備えた液晶パネルを提供する。【課題】液晶パネルは複数個の画素ユニットからなり、各画素ユニットはメイン画素エリアＭとサブ画素エリアＳからなる。Ｇａｍｍａ電圧発生モジュールは、分圧直列抵抗に基準電圧を提供する基準電圧ユニットと、基準電圧ユニットと接続されて、基準電圧を分圧して０−２５５グレースケールと対応するＧａｍｍａ電圧を生成し、メイン画素エリアＭに提供する第一分圧直列抵抗と、基準電圧ユニットと接続されて、基準電圧を分圧して０−２５５グレースケールと対応するＧａｍｍａ電圧を生成し、サブ画素エリアＳに提供する第二分圧直列抵抗とからなる。第一分圧直列抵抗と第二分圧直列抵抗の中の、少なくとも０・Ｇｘ・Ｇｘ＋１及び２５５グレースケールのＧａｍｍａ電圧発生点は基準電圧と接続される。【選択図】図３
2017530391.tif 000002
【特許請求の範囲】
【請求項１】
液晶パネルにＧａｍｍａ電圧を提供するために用いられる、Ｇａｍｍａ電圧発生モジュ
ールであって、
前記液晶パネルは、複数個の画素ユニットからなり、
各前記画素ユニットは、メイン画素エリアＭとサブ画素エリアＳとからなり、
このうち、前記Ｇａｍｍａ電圧発生モジュールは、基準電圧ユニットと、第一分圧直列
抵抗と、第二分圧直列抵抗とからなり、
前記基準電圧ユニットは、分圧直列抵抗に基準電圧を提供するために用いられ、
前記第一分圧直列抵抗は、前記基準電圧ユニットと接続されるとともに、基準電圧を分
圧して０−２５５グレースケールと対応するＧａｍｍａ電圧を生成して、前記メイン画素
エリアＭに提供し、
前記第二分圧直列抵抗は、前記基準電圧ユニットと接続されるとともに、基準電圧を分
圧して０−２５５グレースケールと対応するＧａｍｍａ電圧を生成して、前記サブ画素エ
リアＳに提供し、
このうち、前記第一分圧直列抵抗と第二分圧直列抵抗の中の、少なくとも０・Ｇｘ・Ｇ
ｘ＋１及び２５５グレースケールのＧａｍｍａ電圧発生点は基準電圧と接続され、
このうち、Ｇｘは、一つの画素ユニットのグレースケールＧをメイン画素エリアＭのグ
レースケールＧｍとサブ画素エリアＳのグレースケールＧｓの組合せに変換する時の輝度
反転と対応するグレースケールであることを特徴とする、Ｇａｍｍａ電圧発生モジュール
。
【請求項２】
更に、０・３２・１２８・Ｇｘ・Ｇｘ＋１及び２５５グレースケールのＧａｍｍａ電圧
発生点は、基準電圧と接続されることを特徴とする、請求項１に記載のＧａｍｍａ電圧発
生モジュール。
【請求項３】
更に、前記第一分圧直列抵抗と第二分圧直列抵抗に接続される基準電圧は、同等ではな
いことを特徴とする、請求項１に記載のＧａｍｍａ電圧発生モジュール。
【請求項４】
更に、前記第一分圧直列抵抗と第二分圧直列抵抗に接続される基準電圧は、同等ではな
いことを特徴とする、請求項２に記載のＧａｍｍａ電圧発生モジュール。
【請求項５】
更に、下記の手順を含む方法を用いて、一つの画素ユニットのグレースケールＧを、メ
イン画素エリアＭのグレースケールＧｍとサブ画素エリアＳのグレースケールＧｓの組合
せに変換し、
手順Ｓ１０１では、前記液晶パネルの正視角度αにおける各グレースケールＧの実際の
輝度値Ｌｖαを取得し、
手順Ｓ１０２では、前記液晶パネルの斜視角度βにおける各グレースケールＧの実際の
輝度値Ｌｖβを取得し、
手順Ｓ１０３では、液晶パネルの各画素ユニットを面積比がａ：ｂのメイン画素エリア
Ｍとサブ画素エリアＳに分割するとともに、実際の輝度値ＬｖαとＬｖβを下記の関係式
に従って分割し、
【数１０】
2017530391.tif 000012
前記メイン画素エリアＭの正視角度α及び斜視角度βにおける各グレースケールＧの実
際の輝度値ＬｖＭα及びＬｖＭβをそれぞれ取得し、
前記サブ画素エリアＳの正視角度α及び斜視角度βにおける各グレースケールＧの実際
の輝度値ＬｖＳα及びＬｖＳβをそれぞれ取得し、
手順Ｓ１０４では、手順Ｓ１０１とＳ１０２で取得した最大グレースケールｍａｘの実
際の輝度値Ｌｖα（ｍａｘ）とＬｖβ（ｍａｘ）に基づき、
【数１１】
2017530391.tif 000013
を合わせて用いることで、前記液晶パネルの正視角度α及び斜視角度βにおける各グレ
ースケールＧの理論輝度値ＬｖＧα及びＬｖＧβを算出し、
手順Ｓ１０５では、画素ユニットの中の一つのグレースケールＧｘに対して、メイン画
素エリアＭ及びサブ画素エリアＳに入力されるグレースケールをそれぞれＧｍｘ及びＧｓ
ｘと仮定するとともに、手順Ｓ１０３の結果から得られた実際の輝度値ＬｖＭｘα、Ｌｖ
Ｍｘβ、ＬｖＳｘα及びＬｖＳｘβに基づき、且つ手順Ｓ１０４の結果から得られた理論
輝度値ＬｖＧｘα及びＬｖＧｘβに基づき、以下の関係式を計算し、
【数１２】
2017530391.tif 000014
更に、ｙが最小値を得た時に対応するグレースケールＧｍｘとＧｓｘを、画素ユニット
のグレースケールＧｘ時にメイン画素エリアＭとサブ画素エリアＳにそれぞれ入力される
グレースケールに設定し、
手順Ｓ１０６では、画素ユニットの各グレースケールＧに対して、手順Ｓ１０５を繰り
返し、前記液晶パネルの全てのグレースケールにおいてメイン画素エリアＭとサブ画素エ
リアＳにそれぞれ入力されるグレースケールＧｍとＧｓを取得することを特徴とする、請
求項１に記載のＧａｍｍａ電圧発生モジュール。
【請求項６】
更に、前記正視角度αは０°であり、
前記斜視角度βは３０〜８０°であることを特徴とする、請求項５に記載のＧａｍｍａ
電圧発生モジュール。
【請求項７】
更に、前記斜視角度βは６０°であることを特徴とする、請求項６に記載のＧａｍｍａ
電圧発生モジュール。
【請求項８】
更に、前記液晶パネルのグレースケールは、２５６個のグレースケール、即ち０〜２５
５からなり、
このうち、最大グレースケールｍａｘは２５５グレースケールであることを特徴とする
、請求項５に記載のＧａｍｍａ電圧発生モジュール。
【請求項９】
更に、前記液晶パネルの正視角度αと斜視角度βにおけるｇａｍｍａ曲線を取得すると
ともに、ｇａｍｍａ曲線に基づいて前記実際の輝度値ＬｖαとＬｖβを決定することを特
徴とする、請求項５に記載のＧａｍｍａ電圧発生モジュール。
【請求項１０】
更に、手順Ｓ１０６を完了した後、メイン画素エリアＭのグレースケールと輝度の関係
Ｇｍ−Ｌｖ曲線、及びサブ画素エリアＳのグレースケールと輝度の関係Ｇｓ−Ｌｖ曲線が
得られ、
前記Ｇｍ−Ｌｖ曲線及びＧｓ−Ｌｖ曲線中に現れた特異点に対し、局所加重回帰散布図
平滑化法を用いて処理を行うか、或は冪関数を用いてあてはめ処理をし、
このうち、前記冪関数の数式は：ｆ＝ｍ＊ｘ＾ｎ＋ｋであることを特徴とする、請求項
５に記載のＧａｍｍａ電圧発生モジュール。
【請求項１１】
複数個の画素ユニットと、ゲート駆動モジュールと、ソース駆動モジュールと、Ｇａｍ
ｍａ電圧発生モジュールとからなる液晶パネルであって、
前記複数個の画素ユニットにおいて、各画素ユニットはメイン画素エリアＭとサブ画素
エリアＳとからなり、
前記メイン画素エリアＭとサブ画素エリアＳは同一の走査信号によって駆動し、異なる
データ信号によって駆動し、
前記ゲート駆動モジュールは、前記画素ユニットに走査信号を提供し、
前記ソース駆動モジュールは、前記画素ユニットにデータ信号を提供し、
前記Ｇａｍｍａ電圧発生モジュールは、前記ソース駆動モジュールに二組のＧａｍｍａ
電圧を提供し、これにより前記ソース駆動モジュールが前記メイン画素エリアＭとサブ画
素エリアＳにそれぞれデータ信号を提供し、
このうち、前記Ｇａｍｍａ電圧発生モジュールは、基準電圧ユニットと、第一分圧直列
抵抗と、第二分圧直列抵抗とからなり、
前記基準電圧ユニットは、分圧直列抵抗に基準電圧を提供するために用いられ、
前記第一分圧直列抵抗は、前記基準電圧ユニットと接続されるとともに、基準電圧を分
圧して０−２５５グレースケールと対応するＧａｍｍａ電圧を生成して、前記メイン画素
エリアＭに提供し、
前記第二分圧直列抵抗は、前記基準電圧ユニットと接続されるとともに、基準電圧を分
圧して０−２５５グレースケールと対応するＧａｍｍａ電圧を生成して、前記サブ画素エ
リアＳに提供し、
このうち、前記第一分圧直列抵抗と第二分圧直列抵抗の中の、少なくとも０・Ｇｘ・Ｇ
ｘ＋１及び２５５グレースケールのＧａｍｍａ電圧発生点は基準電圧と接続され、
このうち、Ｇｘは、一つの画素ユニットのグレースケールＧをメイン画素エリアＭのグ
レースケールＧｍとサブ画素エリアＳのグレースケールＧｓの組合せに変換する時の輝度
反転と対応するグレースケールであることを特徴とする、液晶パネル。
【請求項１２】
更に、０・３２・１２８・Ｇｘ・Ｇｘ＋１及び２５５グレースケールのＧａｍｍａ電圧
発生点は、基準電圧と接続されることを特徴とする、請求項１１に記載の液晶パネル。
【請求項１３】
更に、前記第一分圧直列抵抗と第二分圧直列抵抗に接続される基準電圧は、同等ではな
いことを特徴とする、請求項１１に記載の液晶パネル。
【請求項１４】
更に、前記第一分圧直列抵抗と第二分圧直列抵抗に接続される基準電圧は、同等ではな
いことを特徴とする、請求項１２に記載の液晶パネル。
【請求項１５】
更に、下記の手順を含む方法を用いて、一つの画素ユニットのグレースケールＧを、メ
イン画素エリアＭのグレースケールＧｍとサブ画素エリアＳのグレースケールＧｓの組合
せに変換し、
手順Ｓ１０１では、前記液晶パネルの正視角度αにおける各グレースケールＧの実際の
輝度値Ｌｖαを取得し、
手順Ｓ１０２では、前記液晶パネルの斜視角度βにおける各グレースケールＧの実際の
輝度値Ｌｖβを取得し、
手順Ｓ１０３では、液晶パネルの各画素ユニットを面積比がａ：ｂのメイン画素エリア
Ｍとサブ画素エリアＳに分割するとともに、実際の輝度値ＬｖαとＬｖβを下記の関係式
に従って分割し、
【数１３】
2017530391.tif 000015
前記メイン画素エリアＭの正視角度α及び斜視角度βにおける各グレースケールＧの実
際の輝度値ＬｖＭα及びＬｖＭβをそれぞれ取得し、
前記サブ画素エリアＳの正視角度α及び斜視角度βにおける各グレースケールＧの実際
の輝度値ＬｖＳα及びＬｖＳβをそれぞれ取得し、
手順Ｓ１０４では、手順Ｓ１０１とＳ１０２で取得した最大グレースケールｍａｘの実
際の輝度値Ｌｖα（ｍａｘ）とＬｖβ（ｍａｘ）に基づき、
【数１４】
2017530391.tif 000016
を合わせて用いることで、前記液晶パネルの正視角度α及び斜視角度βにおける各グレ
ースケールＧの理論輝度値ＬｖＧα及びＬｖＧβを算出し、
手順Ｓ１０５では、画素ユニットの中の一つのグレースケールＧｘに対して、メイン画
素エリアＭとサブ画素エリアＳに入力されるグレースケールをそれぞれＧｍｘ及びＧｓｘ
と仮定するとともに、手順Ｓ１０３の結果から得られた実際の輝度値ＬｖＭｘα、ＬｖＭ
ｘβ、ＬｖＳｘα及びＬｖＳｘβに基づき、且つ手順Ｓ１０４の結果から得られた理論輝
度値ＬｖＧｘα及びＬｖＧｘβに基づき、以下の関係式を計算し、
【数１５】
2017530391.tif 000017
更に、ｙが最小値を得た時に対応するグレースケールＧｍｘとＧｓｘを、画素ユニット
のグレースケールＧｘ時にメイン画素エリアＭとサブ画素エリアＳにそれぞれ入力される
グレースケールに設定し、
手順Ｓ１０６では、画素ユニットの各グレースケールＧに対して、手順Ｓ１０５を繰り
返し、前記液晶パネルの全てのグレースケールにおいてメイン画素エリアＭとサブ画素エ
リアＳにそれぞれ入力されるグレースケールＧｍとＧｓを取得することを特徴とする、請
求項１１に記載の液晶パネル。
【請求項１６】
更に、前記正視角度αは０°であり、
前記斜視角度βは３０〜８０°であることを特徴とする、請求項１５に記載の液晶パネ
ル。
【請求項１７】
更に、前記斜視角度βは６０°であることを特徴とする、請求項１６に記載の液晶パネ
ル。
【請求項１８】
更に、前記液晶パネルのグレースケールは、２５６個のグレースケール、即ち０〜２５
５からなり、
このうち、最大グレースケールｍａｘは２５５グレースケールであることを特徴とする
、請求項１５に記載の液晶パネル。
【請求項１９】
更に、前記液晶パネルの正視角度αと斜視角度βにおけるｇａｍｍａ曲線を取得すると
ともに、ｇａｍｍａ曲線に基づいて前記実際の輝度値ＬｖαとＬｖβを決定することを特
徴とする、請求項１５に記載の液晶パネル。
【請求項２０】
更に、手順Ｓ１０６を完了した後、メイン画素エリアＭのグレースケールと輝度の関係
Ｇｍ−Ｌｖ曲線、及びサブ画素エリアＳのグレースケールと輝度の関係Ｇｓ−Ｌｖ曲線が
得られ、
前記Ｇｍ−Ｌｖ曲線及びＧｓ−Ｌｖ曲線中に現れた特異点に対し、局所加重回帰散布図
平滑化法を用いて処理を行うか、或は冪関数を用いてあてはめ処理をし、
このうち、前記冪関数の数式は：ｆ＝ｍ＊ｘ＾ｎ＋ｋであることを特徴とする、請求項
１５に記載の液晶パネル。
【発明の詳細な説明】
【技術分野】
【０００１】
本発明は、液晶表示器の技術に関し、特に、液晶表示器におけるＧａｍｍａ電圧発生モ
ジュール及び前記Ｇａｍｍａ電圧発生モジュールを備えた液晶パネルに関する。
【背景技術】
【０００２】
液晶表示器、或はＬＣＤ（Ｌｉｑｕｉｄ  Ｃｒｙｓｔａｌ  Ｄｉｓｐｌａｙ）は、平面
で極薄の表示装置であり、所定の数のカラー或はモノクロ画素によってなるとともに、光
源或は反射板の前方に設けられる。液晶表示器の消費電力は非常に低く、且つ高画質・体
積が小さい・軽量といった特長を備えているため、多くの人々に支持され、表示器の主流
になっている。液晶表示器は、既に各種の電子製品において幅広く使用されている（例え
ば、表示モニタを備えたコンピュータ機器・携帯電話・デジタルフォトフレーム等）。ま
た広視野角技術は、現在の液晶表示器の発展における重点の一つである。しかし、側視や
斜視の視角が大き過ぎる場合、広視野角液晶表示器は色ズレ（ｃｏｌｏｒ  ｓｈｉｆｔ）
現象を生じやすい。
【０００３】
広視野角液晶表示器で生じる色ズレ現象の問題に対して、現在業界では２Ｄ１Ｇ技術を
用いて改善がなされている。２Ｄ１Ｇ技術とは、液晶パネルにおいて、各画素ユニット（
ｐｉｘｅｌ）を面積が異なるメイン画素エリア（Ｍａｉｎ  ｐｉｘｅｌ）とサブ画素エリ
ア（Ｓｕｂ  ｐｉｘｅｌ）に分けるとともに、同一画素ユニットにおけるメイン画素エリ
アとサブ画素エリアは、異なるデータ線（Ｄａｔａ  ｌｉｎｅ）と同一の走査線（Ｇａｔ
ｅ  ｌｉｎｅ）に接続される。メイン画素エリアとサブ画素エリアに異なるデータ信号（
異なるグレースケール値）が入力されることで、異なる表示輝度と斜視輝度が産出され、
これにより側視或は斜視時に生じる色ズレ問題を減らすことが出来る。一つの画素ユニッ
トにおける一つのグレースケール値について、メイン画素エリアとサブ画素エリアのグレ
ースケール値をそれぞれ設定することで、メイン画素エリアとサブ画素エリアのグレース
ケール値の組合せによって色ズレの問題を減らすことが出来る。
【０００４】
実際のハードウェア機器において、液晶表示パネルの駆動は、ゲート駆動モジュールと
ソース駆動モジュールがそれぞれ液晶表示ユニットに走査信号とデータ信号を提供すると
ともに、異なるデータ信号電圧とコモン電極電圧の間の圧差によって、液晶体の回転角度
が同一でなくなり、これにより輝度の差が生まれる。即ち、液晶パネルの表示において異
なるグレースケールが形成される。液晶パネルにおいて、データ信号電圧とグレースケー
ルの間における関係曲線はＧａｍｍａ曲線と呼ばれる。例えば８ｂｉｔ液晶パネルでは、
２８＝２５６個のグレースケールを表示することが可能で、２５６個の異なるＧａｍｍａ
電圧に対応している。Ｇａｍｍａ電圧は、白色から黒色までの変化過程を２のＮ乗冪等分
に分割する。よって、２Ｄ１Ｇ技術においては、二組の０−２５５グレースケールのＧａ
ｍｍａ電圧を生成する必要がある。
【発明の概要】
【発明が解決しようとする課題】
【０００５】
上記に鑑み、本発明は、２Ｄ１Ｇ技術において液晶パネルに二組の０−２５５グレース
ケールのＧａｍｍａ電圧を提供する必要があるという問題を解決する、Ｇａｍｍａ電圧発
生モジュールを提供することを目的とする。
【課題を解決するための手段】
【０００６】
上述の目的を達成するために、本発明は下記の技術手法を用いる。
【０００７】
Ｇａｍｍａ電圧発生モジュールは、液晶パネルにＧａｍｍａ電圧を提供するために用い
られる。前記液晶パネルは複数個の画素ユニットからなり、各画素ユニットはメイン画素
エリアＭとサブ画素エリアＳとからなる。このうち、前記Ｇａｍｍａ電圧発生モジュール
は、基準電圧ユニットと、第一分圧直列抵抗と、第二分圧直列抵抗とからなる。
【０００８】
基準電圧ユニットは、分圧直列抵抗に基準電圧を提供するために用いられる。
【０００９】
第一分圧直列抵抗は、前記基準電圧ユニットと接続されるとともに、基準電圧を分圧し
て０−２５５グレースケールと対応するＧａｍｍａ電圧を生成して、前記メイン画素エリ
アＭに提供する。
【００１０】
第二分圧直列抵抗は、前記基準電圧ユニットと接続されるとともに、基準電圧を分圧し
て０−２５５グレースケールと対応するＧａｍｍａ電圧を生成して、前記サブ画素エリア
Ｓに提供する。
【００１１】
このうち、前記第一分圧直列抵抗と第二分圧直列抵抗の中の、少なくとも０・Ｇｘ・Ｇ
ｘ＋１及び２５５グレースケールのＧａｍｍａ電圧発生点は基準電圧と接続される。この
うち、Ｇｘは、一つの画素ユニットのグレースケールＧをメイン画素エリアＭのグレース
ケールＧｍとサブ画素エリアＳのグレースケールＧｓの組合せに変換する時の輝度反転と
対応するグレースケールである。
【００１２】
このうち、０・３２・１２８・Ｇｘ・Ｇｘ＋１及び２５５グレースケールのＧａｍｍａ
電圧発生点は、基準電圧と接続される。
【００１３】
このうち、前記第一分圧直列抵抗と第二分圧直列抵抗に接続される基準電圧は、同等で
はない。
【００１４】
更に、下記の手順を含む方法を用いて、一つの画素ユニットのグレースケールＧを、メ
イン画素エリアＭのグレースケールＧｍとサブ画素エリアＳのグレースケールＧｓの組合
せに変換する。
【００１５】
Ｓ１０１では、前記液晶パネルの正視角度αにおける各グレースケールＧの実際の輝度
値Ｌｖαを取得する。
【００１６】
Ｓ１０２では、前記液晶パネルの斜視角度βにおける各グレースケールＧの実際の輝度
値Ｌｖβを取得する。
【００１７】
Ｓ１０３では、液晶パネルの各画素ユニットを面積比がａ：ｂのメイン画素エリアＭと
サブ画素エリアＳに分割するとともに、実際の輝度値ＬｖαとＬｖβを下記の関係式に基
づいて分割する。
【００１８】
【数１】
2017530391.tif 000003
【００１９】
前記メイン画素エリアＭの正視角度α及び斜視角度βにおける各グレースケールＧの実
際の輝度値ＬｖＭα及びＬｖＭβをそれぞれ取得する。前記サブ画素エリアＳの正視角度
α及び斜視角度βにおける各グレースケールＧの実際の輝度値ＬｖＳα及びＬｖＳβをそ
れぞれ取得する。
【００２０】
Ｓ１０４では、手順Ｓ１０１とＳ１０２で取得した最大グレースケールｍａｘの実際の
輝度値Ｌｖα（ｍａｘ）とＬｖβ（ｍａｘ）に基づき、
【００２１】
【数２】
2017530391.tif 000004
を合わせて用いることで、前記液晶パネルの正視角度α及び斜視角度βにおける各グレ
ースケールＧの理論輝度値ＬｖＧα及びＬｖＧβを算出する。
【００２２】
Ｓ１０５では、画素ユニットの中の一つのグレースケールＧｘに対して、メイン画素エ
リアＭとサブ画素エリアＳに入力されたグレースケールをそれぞれＧｍｘ及びＧｓｘと仮
定するとともに、手順Ｓ１０３の結果から得られた実際の輝度値ＬｖＭｘα、ＬｖＭｘβ
、ＬｖＳｘα及びＬｖＳｘβに基づき、且つ手順Ｓ１０４の結果から得られた理論輝度値
ＬｖＧｘα及びＬｖＧｘβに基づき、以下の関係式を計算する。
【００２３】
【数３】
2017530391.tif 000005
【００２４】
ｙが最小値を得た時に対応するグレースケールＧｍｘとＧｓｘを、画素ユニットのグレ
ースケールＧｘ時にメイン画素エリアＭとサブ画素エリアＳにそれぞれ入力されるグレー
スケールに設定する。
【００２５】
Ｓ１０６、画素ユニットの各グレースケールＧに対して、手順Ｓ１０５を繰り返し、前
記液晶パネルの全てのグレースケールにおいてメイン画素エリアＭとサブ画素エリアＳに
それぞれ入力されるグレースケールＧｍとＧｓを取得する。
【００２６】
このうち、前記正視角度あるαは０°であり、前記斜視角度βは３０〜８０°である。
【００２７】
このうち、前記斜視角度βは６０°である。
【００２８】
このうち、前記液晶パネルのグレースケールは２５６個のグレースケール（０〜２５５
）からなる。このうち、最大グレースケールｍａｘは２５５グレースケールである。
【００２９】
このうち、前記液晶パネルの正視角度α及び斜視角度βにおけるｇａｍｍａ曲線を取得
するとともに、ｇａｍｍａ曲線に基づいて前記実際の輝度値Ｌｖα及びＬｖβを決定する
。
【００３０】
このうち、手順Ｓ１０６を完了した後、メイン画素エリアＭのグレースケールと輝度の
関係Ｇｍ−Ｌｖ曲線、及びサブ画素エリアＳのグレースケールと輝度の関係Ｇｓ−Ｌｖ曲
線が得られ、前記Ｇｍ−Ｌｖ曲線及びＧｓ−Ｌｖ曲線中に現れた特異点に対し、局所加重
回帰散布図平滑化法を用いて処理を行うか、或は冪関数を用いてあてはめ処理をする。こ
のうち、前記冪関数の数式は：ｆ＝ｍ＊ｘ＾ｎ＋ｋである。
【００３１】
また本発明が提供する液晶パネルは、複数個の画素ユニットと、ゲート駆動モジュール
と、ソース駆動モジュールと、Ｇａｍｍａ電圧発生モジュールとからなる。
【００３２】
複数個の画素ユニットにおいて、各画素ユニットはメイン画素エリアＭとサブ画素エリ
アＳとからなる。前記メイン画素エリアＭとサブ画素エリアＳは同一の走査信号によって
駆動し、異なるデータ信号によって駆動する。
【００３３】
ゲート駆動モジュールは、前記画素ユニットに走査信号を提供する。
【００３４】
ソース駆動モジュールは、前記画素ユニットにデータ信号を提供する。
【００３５】
Ｇａｍｍａ電圧発生モジュールは、前記ソース駆動モジュールに二組のＧａｍｍａ電圧
を提供し、これにより前記ソース駆動モジュールが前記メイン画素エリアＭとサブ画素エ
リアＳにそれぞれデータ信号を提供する。このうち、前記Ｇａｍｍａ電圧発生モジュール
は、上述したＧａｍｍａ電圧発生モジュールである。
【発明の効果】
【００３６】
従来技術と比較して、本発明が提供するＧａｍｍａ電圧発生ユニットは、二組の０−２
５５グレースケールのＧａｍｍａ電圧を生じて、２Ｄ１Ｇ技術においてメイン画素エリア
とサブ画素エリアをそれぞれ駆動することが出来る。各組のＧａｍｍａ電圧に対しては、
０・Ｇｘ・Ｇｘ＋１及び２５５グレースケールのＧａｍｍａ電圧発生点と基準電圧を接続
して電圧の関連付けを行えば良く、関連付けされる電圧の数が少ないほど、駆動ＩＣの設
計及び製造工程の難度が下がり、製造コストが削減される。
【図面の簡単な説明】
【００３７】
【図１】本発明の実施例における液晶パネルの構造概略図である。
【図２】本発明の実施例における液晶パネルの一部の画素ユニットの概略図である。
【図３】本発明の実施例におけるＧａｍｍａ電圧発生ユニットの構造概略図である。
【図４】本発明の実施例におけるグレースケール変換方法のフロー図である。
【図５】本発明の実施例のグレースケール変換方法における変換前のｇａｍｍａ曲線図である。
【図６】本発明の実施例のグレースケール変換方法における変換前のｇａｍｍａ曲線図である。
【図７】本発明の実施例におけるグレースケール変換後のグレースケールと輝度の関係曲線図である。
【図８】本発明の実施例で方法一を用いて図６に示した曲線図に平滑化処理をした後の図である。
【図９】本発明の実施例で方法二を用いて図６に示した曲線図に平滑化処理をする過程の図である。
【図１０】本発明の実施例で方法二を用いて図６に示した曲線図に平滑化処理をする過程の図である。
【図１１】本発明の実施例で方法二を用いて図６に示した曲線図に平滑化処理をした後の図である。
【図１２】本発明の実施例で算出されたＧｍ−Ｖ曲線とＧｓ−Ｖ曲線の図である。
【図１３】本発明の実施例において電圧関連付けが行われた後のＧｍ−Ｖ曲線とＧｓ−Ｖ曲線の図である。
【発明を実施するための形態】
【００３８】
本発明の技術的特長と構造について更に詳らかにするために、以下で実施例及び図面を
参照しつつ詳述する。
【００３９】
図１は、本実施例が提供する液晶パネルの構造概略図である。図２は、本実施例におけ
る液晶パネルの一部の画素ユニットの概略図である。図１を参照する。本実施例が提供す
る液晶パネルは、ソース駆動モジュール１０と、ゲート駆動モジュール２０と、液晶表示
ユニット３０と、Ｇａｍｍａ電圧発生ユニット５０とからなる。このうち、ソース駆動モ
ジュール１０とゲート駆動モジュール２０は、それぞれシーケンス制御モジュール４０に
よって制御されるとともに、それぞれ液晶表示ユニット３０にデータ信号と走査信号を提
供する。このうち、液晶表示ユニット３０は複数個の画素ユニット１（図中ではあくまで
例として一つのみを示している）からなり、各画素ユニット１はメイン画素エリア（Ｍａ
ｉｎ  ｐｉｘｅｌ）Ｍと、サブ画素エリア（Ｓｕｂ  ｐｉｘｅｌ）Ｓとからなる。メイン
画素エリアＭとサブ画素エリアＳの面積比はａ：ｂである。
【００４０】
図２を参照する。同一画素ユニット１におけるメイン画素エリアＭとサブ画素エリアＳ
は、異なるデータ線Ｄｎ・Ｄｎ＋１と同一の走査線Ｇｎに接続される。データ線Ｄｎ・Ｄ
ｎ＋１を通して、メイン画素エリアＭとサブ画素エリアＳに異なるグレースケール値のデ
ータ信号がそれぞれ提供され、走査線Ｇｎを通して、メイン画素エリアＭとサブ画素エリ
アＳに走査信号が提供される。即ち、同一画素ユニット１におけるメイン画素エリアＭと
サブ画素エリアＳは同一の走査信号によってオンになる。
【００４１】
図３を参照する。Ｇａｍｍａ電圧発生モジュール５０は、分圧直列抵抗５２・５３に基
準電圧を提供するための基準電圧ユニット５１と、前記基準電圧ユニット５１と接続され
て、基準電圧を分圧して０−２５５グレースケールと対応するＧａｍｍａ電圧Ｖ０〜Ｖ２
５５を生成するとともに、ソース駆動モジュール１０を通して前記メイン画素エリアＭに
提供する第一分圧直列抵抗５２と、前記基準電圧ユニット５１と接続されて、基準電圧を
分圧して０−２５５グレースケールと対応するＧａｍｍａ電圧Ｖ０'〜Ｖ２５５'を生成す
るとともに、ソース駆動モジュール１０を通して前記サブ画素エリアＳに提供する第二分
圧直列抵抗５３とからなる。このうち、第一分圧直列抵抗５２において、０・３２・１２
８・Ｇｘ・Ｇｘ＋１及び２５５グレースケールのＧａｍｍａ電圧発生点は基準電圧ＶＦ１
・ＶＦ２・ＶＦ４・ＶＦ５・ＶＦ６及びＶＦ７と接続されて、電圧の関連付けが行われる
。第二分圧直列抵抗５３において、０・３２・１２８・Ｇｘ・Ｇｘ＋１及び２５５グレー
スケールのＧａｍｍａ電圧発生点は基準電圧ＶＦ１'・ＶＦ２'・ＶＦ４'・ＶＦ５'・ＶＦ
６'及びＶＦ７'と接続されて電圧の関連付けが行われる。また別の実施例では、第一分圧
直列抵抗５２と第二分圧直列抵抗５３において関連付けされる基準電圧は、０・Ｇｘ・Ｇ
ｘ＋１及び２５５グレースケールのＧａｍｍａ電圧発生点とだけ接続されれば良い。即ち
、本発明が提供する技術手法では、第一分圧直列抵抗５２と第二分圧直列抵抗５３の中の
少なくとも０・Ｇｘ・Ｇｘ＋１及び２５５グレースケールのＧａｍｍａ電圧発生点に対し
て電圧の関連付けを行い、その他の点については実際の需要に応じて選択的に関連付けを
行えば良い。関連付けする基準電圧の数が多いほど、産出されるＧａｍｍａ電圧の精度も
上がり、コストも高くなる。関連付けする基準電圧の数が少ないほど、産出されるＧａｍ
ｍａ電圧の精度も下がり、コストもこれに応じて低くなる。
【００４２】
上述に示した液晶パネルにおいて、メイン画素エリアとサブ画素エリアに異なるデータ
信号（異なるグレースケール値）が入力されることにより、異なる表示輝度と斜視輝度が
産出されて、側視或は斜視時に生じる色ズレの問題が減少する。
【００４３】
以上の基準電圧の関連付けに関わる過程において、Ｇｘは一つの画素ユニットのグレー
スケールＧをメイン画素エリアＭのグレースケールＧｍとサブ画素エリアＳのグレースケ
ールＧｓの組合せに変換する時の輝度反転と対応するグレースケールである。
【００４４】
具体的には、一つの画素ユニットのグレースケールＧをメイン画素エリアＭのグレース
ケールＧｍとサブ画素エリアＳのグレースケールＧｓの組合せに変換するに当たり、本実
施例では下記の方法を提供する。図４のフロー図に示したように、前記方法は以下の手順
を含む。
【００４５】
（ａ）  前記液晶パネルの正視角度αにおける各グレースケールＧの実際の輝度値Ｌｖ
αを取得する。
【００４６】
（ｂ）  前記液晶パネルの斜視角度βにおける各グレースケールＧの実際の輝度値Ｌｖ
βを取得する。
【００４７】
（ｃ）  前記メイン画素エリアＭとサブ画素エリアＳの面積比に基づき、実際の輝度値
ＬｖαとＬｖβを分割して、メイン画素エリアＭとサブ画素エリアＳにおけるグレースケ
ールＧと実際の輝度値との対応関係を樹立する。下記の関係式に従って分割を行う。
【００４８】
【数４】
2017530391.tif 000006
【００４９】
前記メイン画素エリアＭの正視角度αと斜視角度βにおける各グレースケールＧの実際
の輝度値ＬｖＭαとＬｖＭβをそれぞれ取得する。前記サブ画素エリアＳの正視角度αと
斜視角度βにおける各グレースケールＧの実際の輝度値ＬｖＳαとＬｖＳβをそれぞれ取
得する。
【００５０】
（ｄ）  手順（ａ）と（ｂ）で取得した最大グレースケールの実際の輝度値に基づき、
各グレースケールの理論輝度値を計算する。例えば、最大グレースケールｍａｘの実際の
輝度値Ｌｖα（ｍａｘ）とＬｖβ（ｍａｘ）に、
【００５１】
【数５】
2017530391.tif 000007
を組合せて、前記液晶パネルの正視角度αと斜視角度βにおける各グレースケールＧの
理論輝度値ＬｖＧαとＬｖＧβを算出する。
【００５２】
（ｅ）  ある一つの画素ユニットのメイン画素エリアＭとサブ画素エリアＳに入力され
るグレースケールの組合せを設定することで、前記画素ユニットが正視角度と斜視角度に
おいて、実際の輝度値と理論輝度値の差の和が最小となるようにする。具体的には、画素
ユニットの中の一つのグレースケールＧｘに対して、メイン画素エリアＭ及びサブ画素エ
リアＳに入力されるグレースケールをそれぞれＧｍｘ及びＧｓｘと仮定するとともに、手
順（ｃ）の結果から得られた実際の輝度値ＬｖＭｘα、ＬｖＭｘβ、ＬｖＳｘα、ＬｖＳ
ｘβに基づき、且つ手順（ｄ）の結果から得られた理論輝度値LｖGｘαとLｖGｘβに基づ
き、以下の関係式を計算する。
【００５３】
【数６】
2017530391.tif 000008
【００５４】
ｙが最小値を得た時に対応するグレースケールＧｍｘとＧｓｘを、画素ユニットのグレ
ースケールＧｘ時にメイン画素エリアＭとサブ画素エリアＳにそれぞれ入力されるグレー
スケールに設定する。
【００５５】
（ｆ）  画素ユニットの各グレースケールに対して、手順（ｅ）を繰返し、前記液晶パ
ネルの全てのグレースケールの中でメイン画素エリアＭとサブ画素エリアＳにそれぞれ入
力されるグレースケールを取得する。
【００５６】
本実施例において、正視角度αは０°であり、斜視角度βは６０°である。その他の実
施例において、斜視角度βは３０〜８０°の範囲内で選択されることも可能である。この
うち、正視角度は液晶表示器の正視角方向であり、斜視角度は液晶表示器の正視角方向に
対して形成される角度である。
【００５７】
本実施例において、前記液晶パネルのグレースケールは２５６個のグレースケール（０
〜２５５）からなり、このうち最大グレースケールｍａｘは２５５グレースケールである
。
【００５８】
メイン画素エリアＭとサブ画素エリアＳの面積比ａ：ｂ＝２：１、正視角度α＝０°、
斜視角度β＝６０°を具体例とする。
【００５９】
まず、液晶パネルの正視角度０°及び斜視角度６０°におけるｇａｍｍａ曲線を取得す
る（図５参照）。前記ｇａｍｍａ曲線に基づき、正視角度０°及び斜視角度６０°におけ
る各グレースケールＧ（０−２５５）の実際の輝度値Ｌｖ０（０−２５５）及びＬｖ６０
（０−２５５）を決定する。
【００６０】
続いて、メイン画素エリアＭとサブ画素エリアＳの面積比ａ：ｂ＝２：１に従って、実
際の輝度値Ｌｖ０とＬｖ６０を、ＬｖＭ０、ＬｖＳ０、ＬｖＭ６０及びＬｖＳ０に分割す
る。ＬｖＭ０、ＬｖＳ０、ＬｖＭ６０及びＬｖＳ０は、以下の関係式を満たす。
【００６１】
【数７】
2017530391.tif 000009
【００６２】
メイン画素エリアＭの正視角度０°と斜視角度６０°における各グレースケールＧ（０
−２５５）の実際の輝度値ＬｖＭ０（０−２５５）及びＬｖＭ６０（０−２５５）を取得
する。また、サブ画素エリアＳの正視角度０°と斜視角度６０°における各グレースケー
ルＧ（０−２５５）の実際の輝度値ＬｖＳ０（０−２５５）及びＬｖＳ６０（０−２５５
）を取得して、メイン画素エリアＭとサブ画素エリアＳにおけるグレースケールＧと実際
の輝度値との対応関係を樹立する。
【００６３】
更に、最高グレースケール２５５グレースケールの実際の輝度値Ｌｖ０（２５５）及び
Ｌｖ６０（２５５）に基づき、
【００６４】
【数８】
2017530391.tif 000010
を組合せて、前記液晶パネルの正視角度０°と斜視角度６０°における各グレースケー
ルＧ（０−２５５）の理論輝度値ＬｖＧ０（０−２５５）及びＬｖＧ６０（０−２５５）
を算出し、グレースケールＧと理論輝度値の対応関係を樹立する。
【００６５】
更に、画素ユニットの中の一つのグレースケールＧｘ（Ｇｘは０−２５５の中の一つで
ある）に対し、メイン画素エリアＭ及びサブ画素エリアＳに入力されるグレースケールを
それぞれＧｍｘ及びＧｓｘと仮定するとともに、前述で樹立したメイン画素エリアＭとサ
ブ画素エリアＳにおけるグレースケールＧと実際の輝度値の対応関係に基づき、グレース
ケールＧｍｘ及びＧｓｘと対応する実際の輝度値ＬｖＭｘ０、ＬｖＭｘ６０、ＬｖＳｘ０
及びＬｖＳｘ６０を取得し、且つ前述で樹立したグレースケールＧと理論輝度値の対応関
係に基づき、グレースケールＧｘと対応する理論輝度値ＬｖＧｘ０及びＬｖＧｘ６０を取
得して、以下の関係式を計算する。
【００６６】
【数９】
2017530391.tif 000011
【００６７】
ＧｍｘとＧｓｘの値の組合せを複数回試すことを通して、ＧｍｘとＧｓｘの値の組合せ
によって上記式中のｙが最小値を得た時、この時のグレースケールＧｍｘとＧｓｘを画素
ユニットのグレースケールＧｘ時においてメイン画素エリアＭとサブ画素エリアＳにそれ
ぞれ入力されるグレースケールとして設定する。
【００６８】
最後に、画素ユニットの各グレースケールＧ（０−２５５）に対して、一つ前の手順を
繰り返し、最終的には液晶パネルの全てのグレースケール（０−２５５）においてメイン
画素エリアＭとサブ画素エリアＳにそれぞれ入力されるグレースケールを取得する。
【００６９】
本実施例において、メイン画素エリアＭとサブ画素エリアＳのグレースケールに対して
調整を行った後、液晶パネルの正視角度０°と斜視角度６０°におけるｇａｍｍａ曲線は
図６に示したようになる。メイン画素エリアＭとサブ画素エリアＳのグレースケールに対
して設定を行うことにより、メイン画素エリアＭとサブ画素エリアＳの正視角度と斜視角
度において、得られるｇａｍｍａ曲線がいずれもｇａｍｍａ（γ）＝２．２に近づき、色
ズレの問題が減少すると同時に、良好な表示効果が得られ、正視角度の表示効果に明らか
な変化が生じないことを保証した上で、大視野角での光漏れや色ズレの問題が改善される
。
【００７０】
図７は、以上の手順に従って設定した後の、メイン画素エリアＭのグレースケールと輝
度の関係Ｇｍ−Ｌｖ曲線、及びサブ画素エリアＳのグレースケールと輝度の関係Ｇｓ−Ｌ
ｖ曲線図を示している。図７に示した関係曲線において、１５７グレースケールでグレー
スケール反転が見られ、且つ曲線上には多くの特異な離散数値点が見られる。これは液晶
表示器の表示品質に影響する。この問題を改善するため、下記の方法を用いて関係曲線に
対する平滑化処理を行うことが可能である。
【００７１】
（１）局所加重回帰散布図平滑化法（ｌｏｃａｌｌｙ  ｗｅｉｇｈｔｅｄ  ｓｃａｔｔ
ｅｒ  ｐｌｏｔ  ｓｍｏｏｔｈｉｎｇ、ＬＯＷＥＳＳ或はＬＯＥＳＳ）を用いて平滑化処
理を行う。ＬＯＷＥＳＳ法は、移動平均技術と類似しており、指定ウィンドウ内において
、各点の数値はいずれもウィンドウ内で近接するデータを用いて加重回帰することで得ら
れ、線形或は二次の回帰方程式を用いることが出来る。もし指定ウィンドウの幅内で、平
滑化しようとするデータ点両側における平滑化を行うデータ点が同等であれば、対称ＬＯ
ＷＥＳＳであり、もし両側のデータ点が不等であれば、非対称ＬＯＷＥＳＳである。一般
的に、ＬＯＷＥＳＳ法は以下の手順を含む。
【００７２】
（ａ１）指定ウィンドウ内の各データ点における初期加重を計算する。加重関数は一般
に数値間におけるユークリッド距離の比の三次関数として表される。
【００７３】
（ｂ１）初始加重を利用して回帰推定を行い、推定式の残差を利用して安定的な重み関
数を定義し、新しい加重を計算する。
【００７４】
（ｃ１）新しい加重を利用して手順（ｂ１）を繰返し、途切れることなく重み関数を修
正し、第Ｎ回の収束の後、多項式と加重に基づいて任意の点における滑らかな値が得られ
る。
【００７５】
ＬＯＷＥＳＳ法を利用してデータ平滑化処理を行う重要パラメータはウィンドウ幅の選
択にある。ウィンドウ幅が大き過ぎると滑らかさを描く際にカバーする履歴データが多過
ぎて、最新値の情報が平滑化値に与える影響が低下してしまう。逆に、狭過ぎるウィンド
ウ幅では"平滑化"後のデータが平滑とは言えなくなる。
【００７６】
本実施例において、ＬＯＷＥＳＳ法に従って処理した後のグレースケールと輝度の関係
曲線図を図８に示した。図は、メイン画素エリアＭのＧｍ−Ｌｖ曲線とサブ画素エリアＳ
のＧｓ−Ｌｖ曲線を含む。処理後の関係曲線は平滑であり、初期計算時に見られた誤差が
修正されており、液晶表示器の表示品質が向上する。
【００７７】
（２）冪関数を用いてあてはめ処理をする。グレースケール反転（例えば本実施例にお
ける１５７グレースケール）の後に曲線あてはめを行う。このうち、本実施例において用
いられる冪関数の数式は：ｆ＝ｍ＊ｘ＾ｎ＋ｋである。
【００７８】
図９と図１０は冪関数あてはめ過程を示している。このうち、図９は、サブ画素エリア
Ｓのグレースケールと輝度の関係Ｇｓ−Ｌｖ曲線に対してあてはめを行う際の図であり、
図中の横座標はグレースケール反転から始まるグレースケール値を表し、縦座標はサブ画
素エリアＳと対応するグレースケールを表し、曲線ｐｏｗｅｒ１はあてはめで得られた曲
線である。図１０は、メイン画素エリアＭのグレースケールと輝度の関係Ｇｍ−Ｌｖ曲線
に対してあてはめを行う際の図であり、図中の横座標はグレースケール反転から始まるグ
レースケール値を表し、縦座標はメイン画素エリアＭと対応するグレースケールを表し、
曲線ｐｏｗｅｒ２はあてはめで得られた曲線である。
【００７９】
本実施例において、冪関数あてはめ処理方法に従って処理した後のグレースケールと輝
度の関係曲線図を図１１に示した。図は、メイン画素エリアＭのＧｍ−Ｌｖ曲線とサブ画
素エリアＳのＧｓ−Ｌｖ曲線を含む。処理を経た後の関係曲線は平滑であり、液晶表示器
の表示品質が向上する。加えて、冪関数を用いてあてはめを行う方法は簡単で素早く、正
確である。
【００８０】
前述で得られたＧｍ−Ｌｖ曲線とＧｓ−Ｌｖ曲線によって、ＧｍとＧｓが各グレースケ
ールで必要とする電圧値Ｖを算出し、Ｇｍ−Ｖ曲線とＧｓ−Ｖ曲線に変換することが出来
る（図１２参照。図は、メイン画素エリアＭのＧｍ−Ｖ曲線とサブ画素エリアＳのＧｓ−
Ｌｖ曲線を含む）。
【００８１】
グレースケールと輝度の関係曲線図７・８・１１に示したように、本実施例において、
一つの画素ユニットのグレースケールＧをメイン画素エリアＭのグレースケールＧｍとサ
ブ画素エリアＳのグレースケールＧｓの組合せに変換する時、輝度反転と対応するグレー
スケールは１５７である。即ち、本実施例において、Ｇｘ＝１５７である。よって、第一
分圧直列抵抗５２と第二分圧直列抵抗５３の中で関連付けされる基準電圧点は、０・３２
・１２８・１５７・１５８及び２５５グレースケールである。
【００８２】
電圧の関連付けを通して得られたＧｍ−Ｖ曲線とＧｓ−Ｖ曲線を図１３に示した。図は
、メイン画素エリアＭの電圧関連付け後に得られたＧｍ−Ｖ曲線とサブ画素エリアＳの電
圧関連付け後に得られたＧｓ−Ｌｖ曲線を含む。
【００８３】
上述を総じて言えば、本発明の実施例が提供する液晶パネルは、各画素ユニットを面積
が異なるメイン画素エリアとサブ画素エリアに分けて、メイン画素エリアとサブ画素エリ
アに異なるデータ信号（異なるグレースケール値）を入力することを通して、異なる表示
輝度と斜視輝度を産出することにより、側視或は斜視時に生じる色ズレの問題を減らすこ
とが出来る。このうち、本発明の実施例が提供するＧａｍｍａ電圧発生ユニットは二組の
０−２５５グレースケールのＧａｍｍａ電圧を発生させて、２Ｄ１Ｇ技術においてメイン
画素エリアとサブ画素エリアをそれぞれ駆動することが出来る。各組のＧａｍｍａ電圧に
対しては、０・Ｇｘ・Ｇｘ＋１及び２５５グレースケールのＧａｍｍａ電圧発生点が基準
電圧と接続されて電圧の関連付けが行われるようにすれば良く、関連付けされる電圧の数
が少なく、駆動ＩＣの設計及び製造工程の難度が下がり、製造コストの削減が可能になる
。
【００８４】
以上の記述はあくまで本申請における具体的な実施形態であり、当然ながら本技術分野
の一般的な技術員であれば、本申請の原理に基づくことを前提とした上で、いくつかの改
善や装飾を加えることが可能であり、これらの改善や装飾は本申請の保護範囲内に含まれ
ると見做される。
【符号の説明】
【００８５】
１０  ソース駆動モジュール
２０  ゲート駆動モジュール
３０  液晶表示ユニット
４０  シーケンス制御モジュール
５０  Ｇａｍｍａ電圧発生ユニット
５１  基準電圧ユニット
５２、５３    分圧直列抵抗
１    画素ユニット
Ｍ    メイン画素エリア
Ｓ    サブ画素エリア
Ｄｎ、Ｄｎ＋１    データ線
Ｇｎ  走査線
ＶＦ１、ＶＦ２、ＶＦ４、ＶＦ５、ＶＦ６、ＶＦ７、ＶＦ１'、ＶＦ２'、ＶＦ４'、ＶＦ
５'、ＶＦ６'、ＶＦ７'  基準電圧
【図１】
2017530391.tif 000018
【図２】
2017530391.tif 000019
【図３】
2017530391.tif 000020
【図４】
2017530391.tif 000021
【図５】
2017530391.tif 000022
【図６】
2017530391.tif 000023
【図７】
2017530391.tif 000024
【図８】
2017530391.tif 000025
【図９】
2017530391.tif 000026
【図１０】
2017530391.tif 000027
【図１１】
2017530391.tif 000028
【図１２】
2017530391.tif 000029
【図１３】
2017530391.tif 000030
【国際調査報告】
2017530391.tif 000031
2017530391.tif 000032
2017530391.tif 000033
2017530391.tif 000034
2017530391.tif 000035
2017530391.tif 000036